(57)【要約】【課題】基板ケースの外側からの不正操作により、基板ケース内部に収容された制御基板上の電子部品を不正に交換しにくくするようにした基板ケースを提供することを目的とする。【解決手段】主基板ケース１００は、パチンコ機ＰＭの作動制御を行うための電子デバイス３２が実装された主制御基板３１と、透明な樹脂材料により形成され主制御基板３１を内部に収容保持してパチンコ機ＰＭに取り付けられるケース本体部材５０及びケース蓋部材６０とを備え、主制御基板３１とケース蓋部材６０との間に透明な樹脂材料によりシート状に形成された不正防止シート８０（９１）を設けて構成され、不正防止シート８０（９１）は、ケース本体部材５０にケース蓋部材６０を取り付けて内部に収容された主制御基板３１の電子デバイス３２が実装された側の表面を覆うように構成される。【選択図】図６
2008237338.tif 000002
【特許請求の範囲】
【請求項１】
遊技機の作動制御を行うための電子部品が実装された制御基板と、透明な樹脂材料により形成され前記制御基板を内部に収容保持して前記遊技機に取り付けられるケース部材とを備えた遊技機の基板ケースであって、
前記制御基板と前記ケース部材との間に透明な樹脂材料によりシート状に形成されたシート部材を設けて構成され、
前記シート部材は、前記ケース部材内部に収容された前記制御基板の前記電子部品が実装された側の表面を覆うことを特徴とする遊技機の基板ケース。
【請求項２】
前記シート部材は、前記制御基板の前記電子部品が実装された側の表面全域を覆うことを特徴とする請求項１に記載の遊技機の基板ケース。
【請求項３】
前記シート部材は、前記電子部品を含む前記制御基板の所定の範囲を覆うとともに前記制御基板の表面に沿う方向の移動が規制されることを特徴とする請求項１に記載の遊技機の基板ケース。
【発明の詳細な説明】
【技術分野】
【０００１】
本発明は、遊技機の作動を制御する制御基板を内部に収容保持して遊技機に取り付けられる基板ケースに関する。
【背景技術】
【０００２】
パチンコ機やスロットマシン等の遊技機では、遊技機の作動を制御する制御基板に対する不正行為を防止して公正な遊技を提供するため、制御基板に何らかの不正行為がなされたとき、例えば、遊技プログラムを改ざんした不正ＲＯＭに交換されたり、制御基板の裏面側にいわゆるジャンパ線を飛ばして不正回路を付加したり等の不正改造が行われたときに、その状態を外部から目視検査できるように透明な基板ケースに収容された状態で遊技機に取り付けられている。
【０００３】
そして、制御基板に実装された電子部品については、ホログラム技術を利用した封印シールや層間剥離による不可逆性の封印シールをＲＯＭを跨いで基板面に貼付し、遊技施設の係員が基板ケースを透視して封印シールの貼付状態を目視確認することで、ＲＯＭの不正交換が行われたか否かを検査し得るようになっている（例えば、特許文献１参照）。また、基板ケースの構造に関しては、基板ケースの一部を壊さなければケースを開けることができない（制御基板にアクセスできない）構造のロック機構を視認容易な部位に複数設け、遊技施設の係員がロック機構の状態を目視確認することにより、不正行為の有無を検査し得るように構成された不正開放防止機構が種々提案され実用されている（例えば、特許文献２参照）。
【０００４】
【特許文献１】特開２００７−３３２号公報
【特許文献２】特許第３６９３１１３号公報
【発明の開示】
【発明が解決しようとする課題】
【０００５】
しかしながら、上記のような不正行為防止対策が設けられていたとしても、例えば、不正着脱の対象となる電子部品（例えばＣＰＵ、ＲＯＭ、ＲＡＭ）に対向する基板ケースの表面は、カッターもしくは半田ごて等を用いて容易に切り取ることができ、後になって遊技施設の係員の目視確認によって不正行為が発見されやすいというリスクを負えば、制御基板に実装された純正電子部品を遊技データや入賞確率データ等が不正に改ざんされた不正電子部品に容易に交換することができるという問題がある。
【０００６】
本発明はこのような課題に鑑みてなされたものであり、基板ケースの外側からの不正操作により、基板ケース内部に収容された制御基板上の電子部品を不正に交換しにくくするようにした基板ケースを提供することを目的とする。
【課題を解決するための手段】
【０００７】
上記課題を解決して目的を達成するため、本発明に係る基板ケース（例えば、実施形態における主基板ケース１００）は、遊技機（例えば、実施形態におけるパチンコ機ＰＭ）の作動制御を行うための電子部品（例えば、実施形態における電子デバイス３２）が実装された制御基板（例えば、実施形態における主制御基板３１）と、透明な樹脂材料により形成され前記制御基板を内部に収容保持して前記遊技機に取り付けられるケース部材（例えば、実施形態におけるケース本体部材５０、ケース蓋部材６０）とを備え、前記制御基板と前記ケース部材との間に透明な樹脂材料によりシート状に形成されたシート部材（例えば、実施形態における不正防止シート８０，９１）を設けて構成され、前記シート部材は、前記ケース部材内部に収容された前記制御基板の前記電子部品が実装された側の表面を覆うように構成される。
【０００８】
前記シート部材は、前記制御基板の前記電子部品が実装された側の表面全域を覆うように構成することが好ましい。
【０００９】
前記シート部材は、前記電子部品を含む前記制御基板の所定の範囲を覆うとともに前記制御基板の表面に沿う方向の移動が規制されるように構成することが好ましい。
【発明の効果】
【００１０】
本発明に係る遊技機の基板ケースでは、遊技機の作動制御を行うための電子部品が実装された制御基板と、透明な樹脂材料により形成され制御基板を内部に収容保持して遊技機に取り付けられるケース部材とを備え、制御基板とケース部材との間に透明な樹脂材料によりシート状に形成されたシート部材を設けて構成され、シート部材は、ケース部材内部に収容された制御基板の電子部品が実装された側の表面を覆うように構成される。このため、外側からケース部材の表面をカッターもしくは半田ごて等を用いて切断しようとした場合に、シート部材も切断しなければならずその分の余計な時間が必要になるので、このように制御基板から電子部品を不正に着脱するという行為を効果的に抑止することができる。
【００１１】
シート部材は、制御基板の電子部品が実装された側の表面全域を覆うように構成されるので、シート部材を切断する際にカッターもしくは半田ごてによって制御基板を破損させてしまう危険があり、ケース部材の表面を切断して電子部品を不正に着脱するという行為を高い抑止力で防止することができる。また、制御基板が変更され電子部品の搭載位置が変化しても、基板ケースをそのまま使用することができ、製造コストの増加を防止することができる。
【００１２】
シート部材は、電子部品を含む制御基板の所定の範囲を覆うとともに制御基板の表面に沿う方向の移動が規制されるように構成されるので、不正着脱の対象となる特定の電子部品への不正行為を効果的に抑止することができる。
【発明を実施するための最良の形態】
【００１３】
以下、本発明の好ましい実施形態について図面を参照して説明する。本発明を適用した遊技機の一例としてパチンコ機ＰＭの正面図、背面図及び背面斜視図をそれぞれ図１、図２及び図３に示しており、この図を参照してパチンコ機ＰＭの全体構成について概要説明する。
【００１４】
パチンコ機ＰＭは、外郭方形の所定枠サイズに構成されて縦向きの固定保持枠をなす外枠１の開口前面に、これに合わせた方形枠サイズに構成された開閉搭載枠をなす前枠２が互いの正面左側縁部に配設された上下のヒンジ機構３ａ，３ｂにより前方に横開き開閉及び着脱が可能に取り付けられ、正面右側縁部に設けられた施錠機構４を利用して常には外枠１に閉鎖施錠された状態で保持される。
【００１５】
前枠２の前面側には、前側面域に合わせた方形状のガラス扉５及び球皿ユニット６が正面左側部に設けられたヒンジ機構７ａ，７ｂ，７ｃを利用して横開き開閉及び着脱が可能に組付けられ、常には施錠機構４と利用して外枠１に閉鎖状態で保持される。球皿ユニット６の右側下部には遊技球の発射操作を行う操作ハンドル８が設けられ、操作ハンドル８の左方には効果音を発生するスピーカ９が設けられている。前枠２の中央部から上部にかけて後方に突出する方形枠状の収容枠（図示せず）が前枠２と一体に形成されており、この収容枠に所定のゲージ設定で構成された遊技盤１０が着脱可能にセット保持され、常には閉鎖保持されるガラス扉５を通して遊技盤１０の正面の遊技領域ＰＡを臨ませるようになっている。
【００１６】
遊技盤１０は、積層合板の表面に所定意匠のセルを貼り付けた化粧板１１（ベニヤ板とも称される）を基板として構成され、化粧板１１の前面側に内外の案内レール１２が円弧状に固設され、この案内レール１２で囲まれた内側に、遊技球発射装置（図示せず）から打ち出された遊技球が転動可能な略円形の遊技領域ＰＡが区画される。
【００１７】
遊技領域ＰＡには、多数本の遊技釘や風車１３とともに、一般入賞具や始動具並びに大入賞口を備えたアタッカー等の入賞具１４、及び遊技の進行状況に応じて所定の画像を表示させる画像表示装置１５が設けられている。遊技領域ＰＡの下端には、入賞具１４に入賞せずに遊技領域ＰＡの下端まで落下した遊技球（「アウト球」という）を、遊技盤１０の裏面に排出させるアウト口１６が設けられている。各入賞具１４に落入した遊技球（「セーフ球」という）は、これらの入賞具１４に設けられた入賞口スイッチ又は始動口スイッチにより検出され、化粧板１１を貫通するセーフ球通路（図示せず）を通って遊技盤１０の裏面に排出される。また、アウト口１６に集められたアウト球は、化粧板１１を貫通するアウト球通路（図示せず）を通って遊技盤１０の裏面側に排出される。ガラス扉５及び遊技盤１０の各部には、遊技展開を視覚的に演出するＬＥＤやランプ等の光源を用いた電飾装置１７が設けられている。
【００１８】
以上のように構成されたパチンコ機ＰＭは、前枠２、ガラス扉５及び球皿ユニット６がともに閉止され施錠された状態で遊技に供され、球皿ユニット６に遊技球を貯留させて操作ハンドル８を回動操作することにより遊技が開始される。操作ハンドル８が回動操作されると、球皿ユニット６に貯留された遊技球が遊技球発射装置（図示せず）により１球ずつ遊技盤１０の遊技領域ＰＡに打ち出され、以降パチンコゲームが展開される。
【００１９】
遊技盤１０の後方に位置する前枠２の裏面側には、パチンコ機ＰＭの作動を統括的に制御する主制御基板３１（図４参照）が収容された主基板アッセンブリ３０や、主制御基板３１における遊技展開に応じて遊技盤１０に設けられた画像表示装置１５に表示される画像の制御を行う画像制御基板（図示せず）
が収容された画像制御基板アッセンブリ４０が取り付けられている。なお、以降の説明においては、図２及び図３の状態を基準にして前後左右、及び上下を定義する（図３参照）。
【００２０】
遊技盤１０の中央部には、画像表示装置１５を取り付けるための開口部１８が形成されており、この開口部１８を挟むように遊技盤１０の裏面側の左右縁部に画像アッセンブリ取付部１９ａ，１９ｂが配設されている。画像制御基板アッセンブリ４０の左右両側部の上下には合計４個の取付突起部４０ａ，４０ｂが形成されており、この取付突起部４０ａ，４０ｂがネジ締結等で画像アッセンブリ取付部１９ａ，１９ｂに取り付けられて画像制御基板アッセンブリ４０が遊技盤１０に固定される。
【００２１】
また、遊技盤１０の下部における裏面側の左右縁部には、主基板取付部２０ａ，２０ｂが配設されており、この主基板取付部２０ａ，２０ｂに主基板アッセンブリ３０が取り付けられている。なお、主基板取付部２０ａ，２０ｂは、画像アッセンブリ取付部１９ａ，１９ｂよりも後方に突出するように形成されており、主基板アッセンブリ３０の上部が、後面視において、画像制御基板アッセンブリ４０の下部を後方から覆うように遊技盤１０に取り付けられている。このように、主基板アッセンブリ３０が画像制御基板アッセンブリ４０の一部を覆う（後面視において一部が重なる）ように配置することにより、画像制御基板アッセンブリ４０の大型化に対して遊技盤１０の上下方向寸法を大きくすることなく、これらのアッセンブリ３０，４０をこの遊技盤１０の裏面側に配設することができる。
【００２２】
次に、主基板アッセンブリ３０について図４〜図７を参照して説明する。主基板アッセンブリ３０は、パチンコ機ＰＭの作動を統括的に制御する主制御基板３１と、主制御基板３１を内部に収容する主基板ケース１００（図６参照）と、主制御基板３１と主基板ケース１００との間に設けられる不正防止シート８０とから構成される。さらに、主基板ケース１００は、遊技盤１０の裏面側に着脱されるケース本体部材５０と、このケース本体部材５０に着脱自在に取り付けられるケース蓋部材６０とから構成される。なお、図６では主基板アッセンブリの構造を明瞭に説明するために、主基板ケース１００の内部に収容されている不正防止シート８０及び電子デバイス３２を二点鎖線で図示している。
【００２３】
主基板アッセンブリ３０は、主制御基板３１がケース蓋部材６０の内面側に取り付けられた状態で、このケース蓋部材６０をケース本体部材５０に装着可能に構成される。なお、主基板アッセンブリ３０の主基板取付部２０ａ，２０ｂに対する固定は、ケース本体部材５０の左側部から外方に延びた左側固定部５８に取り付けられた左ナイラッチ（登録商標）３６と、ケース蓋部材６０の右側部から外方に延びた右側固定部６８に取り付けられた右ナイラッチ（登録商標）３７とが用いられる（図２，３参照）。
【００２４】
図４に示すように、主制御基板３１は矩形板状の形状を有しており、後面には中央部に配設されたＲＯＭやＲＡＭを内臓のＣＰＵ等の電子デバイス３２や左右に配設された接続コネクタ３３，３３，・・・等の電子部品、及び両面に配設された複数の配線パターン（図示せず）を有して構成される。この主制御基板３１の四隅には、基板取付孔３４，３４，…が形成されており、基板取付ネジ３５，３５，…を各基板取付孔３４に挿入し、図５に示すケース蓋部材６０の基板取付部６７，６７，・・・に対して螺挿してネジ締結するように構成されている。
【００２５】
ケース本体部材５０は、主基板ケース１００が遊技盤１０に取り付けられた状態で後面側に開口を有する矩形箱状の形状を有しており、ＡＢＳ樹脂やポリカーボネート（ＰＣ）等の透明な樹脂材料を用いて成形される。このケース本体部材５０の内面側底部５１には、補強リブ５１ａが縦横に格子状に形成されており、ケース本体部材５０の強度を向上させている。
【００２６】
ケース本体部材５０の本体部材側壁部（図４においては、底部５１の上下の縁部から後方に延びる側壁部）５３，５３のそれぞれには、複数の蓋部材取付溝５４が形成されている。この蓋部材取付溝５４は、後方及びケース本体部材５０の内面側に開口する挿入溝部と左側に延びてケース本体部材５０の内面側に開口する係止溝部とから構成され、図３の状態において下方もしくは上方から見たときに本体部材側壁部５３に対してＬ字状の溝として形成されている。また、本体部材側壁部５３の内側の壁面と平行に、蓋部材取付溝５４のそれぞれと対向するように、蓋部材押圧壁５２が底部５１から後方に板状に延びて形成されている。この蓋部材押圧壁５２の左右方向幅は、蓋部材取付溝５４の左右方向幅と略同一の大きさに形成されており、図３の状態において上方もしくは下方から見たときに、蓋部材押圧壁５２と蓋部材取付溝５４とは重なるように配置されている。
【００２７】
ケース蓋部材６０は、ケース本体部材５０の開口を覆う矩形箱状の形状を有しており、ＡＢＳ樹脂やポリカーボネート（ＰＣ）等の透明な樹脂材料を用いて一体的に成形される。図５に示すように、このケース蓋部材６０の上下左右の縁部から前方に延びる蓋部材側壁部６６には、外方（図４においては上下方向）に突出する係止突起部６２が複数形成されている。この係止突起部６２は、上記の蓋部材取付溝５４と同じ数だけ形成されており、その配置間隔も蓋部材取付溝５４と対応している。また、この蓋部材側壁部６６の内側面には、各々の係止突起部６２と対応して内方に突出する押圧突起部６１が形成されている。この押圧突起部６１は、係止突起部６２に対してケース本体部材５０にケース蓋部材６０を取り付けるときにスライド移動させる方向と反対方向にずれて形成されている。
【００２８】
そのため、ケース本体部材５０に対してケース蓋部材６０を取り付けるときは、図３の状態において後方から蓋部材取付溝５４の挿入溝部に係止突起部６２を挿入し、その後、ケース蓋部材６０を左右方向（この実施形態においては左方向）にスライド移動させて係止突起部６２を蓋部材取付溝５４の係止溝部に挿入させることで、係止突起部６２と蓋部材取付溝５４とを嵌合させる。
【００２９】
このとき、係止突起部６２を蓋部材取付溝５４の挿入溝部に挿入した状態では、押圧突起部６１は、蓋部材押圧壁５２の右方に位置するが、この状態からケース蓋部材６０をケース本体部材５０に対して左方にスライド移動させ、係止突起部６２が蓋部材取付溝部５４の係止溝部に挿入させた状態では、蓋部材側壁部６６の外側面と本体部材側壁部５３の内側面とが密接し、押圧突起部６１は本体部材側壁部５３と蓋部材押圧壁５２とに狭持される。
【００３０】
ケース本体部材５０とケース蓋部材６０とを以上のように構成すると、ケース本体部材５０にケース蓋部材６０を取り付けたときに、係止突起部６２が蓋部材取付溝５４と嵌合するため、ケース蓋部材６０はケース本体部材５０に対して後方への移動（ケース本体部材５０からケース蓋部材６０を外すための移動）が規制される。また、蓋部材側壁部６６は、押圧突起部６１と蓋部材押圧壁５２とによりケース本体部材５０の内側面に押しつけられて密接しているため、蓋部材側壁部６６を内側に押し込むことができず、係止突起部６２を蓋部材取付溝５４から外すことができない。
【００３１】
不正防止シート８０は、ケース蓋部材６０の内面側底部６９と略同一（図５，６参照）の矩形シート状の形状を有しており、ＡＢＳ樹脂やポリカーボネート（ＰＣ）等の透明な樹脂材料を用いて後述するように適度な剛性及び電気絶縁性を有して成形される。この不正防止シート８０は、ケース本体部材５０にケース蓋部材６０を取り付けて内部に主制御基板３１を収容したときに、主制御基板３１の後面（電子デバイス３２（取り換えて不正行為を行う対象電子部品）が配設された側の面）とケース蓋部材６０の内面側底部６９との間の位置に挿入され、主制御基板３１の電子デバイス３２を含むほぼ全面を覆うように設けられている。なお、不正防止シート８０は上述のように透明な樹脂材料で成形されているので、電子デバイス３２の表面（ケース蓋部材６０の内面側底部６９と対向する面）に記載された表記部３２ａ（図６参照）の表記内容（社名や製造番号等）が視認可能になっているとともに、万一電子デバイス３２が不正遊技者によって他の不正電子部品に着脱交換されている場合に、この不正事実を発見し得るようになっている。
【００３２】
ケース本体部材５０の左端部には本体側仮止部５５が形成されており、ケース蓋部材６０の左端側には蓋側仮止部６３が形成されている。ケース本体部材５０にケース蓋部材６０が取り付けられたとき、すなわち、ケース本体部材５０に対してケース蓋部材６０が左方向にスライド移動して取り付けられたときに、これらの本体側仮止部５５と蓋側仮止部６３との位置は一致して係合し、ケース蓋部材６０がケース本体部材５０に対して右方向にスライド移動するのを規制する。なお、ケース本体部材５０及びケース蓋部材６０は、上述のように、樹脂材料で薄く形成されており容易に撓めることができる。そのため、蓋側仮止部６３の左端側を本体側仮止部５５から離すように撓めることにより本体側仮止部５５と蓋側仮止部６３との係合は解除され、ケース本体部材５０に対してケース蓋部材６０を右方にスライド移動して、このケース蓋部材６０をケース本体部材５０から取り外すことができる。
【００３３】
このように、主制御基板３１が収容される主基板ケース１００を、互いに分離できるケース本体部材５０とケース蓋部材６０とに分けて構成することにより、主制御基板３１をケース蓋部材６０に取り付けるときは、このケース蓋部材６０の開口部を上方に向けて作業机等に載置した状態で行うことができるので、取り付け作業が容易になり組み立ての作業効率が向上する。また、ケース蓋部材６０をケース本体部材５０に取り付けるときも、スライド移動だけで取り付けることができるので、この作業も容易である。さらに、このようにケース本体部材５０にケース蓋部材６０をスライド移動して取り付ける構成にすると、ケース本体部材５０側に蓋部材取付溝５４を形成し、ケース蓋部材６０に係止突起部６２を形成することで取り付け構造ができるため、主基板ケース１００の構造を簡単にすることができる。
【００３４】
以上のように、主制御基板３１は、主基板ケース１００（ケース本体部材５０及びケース蓋部材６０）内に格納されているため、主制御基板３１に対する不正行為を防止することができる。しかしながら、ケース本体部材５０に対してケース蓋部材６０が取り付けられた状態にあるときは、本体側仮止部５５と蓋側仮止部６３とが係合しているだけであり、ケース本体部材５０からケース蓋部材６０を取り外すことは容易である。そこで、閉止状態にあるケース蓋部材６０をケース本体部材５０に対してスライド移動できなくして不正操作を防止するために、主基板アッセンブリ３０の主基板ケース１００には不正開放防止機構７０が設けられている。
【００３５】
不正開放防止機構７０は、図４，６に示すように、ケース本体部材５０の左端側に連結して一体に形成された４つの本体側係合部５６と、ケース蓋部材６０の左端側に切断可能な連結部６５を介し連結して形成された４つの蓋側係合部６４（ケース蓋部材６０から蓋側係合部６４を分離可能である）と、蓋側係合部６４に挿入されて、ケース本体部材５０にケース蓋部材６０を固定保持する４つのストッパ部材７１とから構成される。
【００３６】
ケース蓋部材６０をケース本体部材５０に対してスライド移動させて蓋側係合部６４が本体側係合部５６と対向して重なる状態にすると、蓋側係合部６４に挿入されたストッパ部材７１に設けられた係合爪と本体側係合部５６の設けられた係合凹部とが係合して、本体側係合部５６と蓋側係合部６４とが係止保持され、ケース本体部材５０に対するケース蓋部材６０の右方向へのスライド移動が規制される。そのため、ケース本体部材５０にケース蓋部材６０が装着された状態、すなわち、係止状態が保持される。これにより、本体側係合部５６と蓋側係合部６４とをストッパ部材７１を介して容易に連結させることができ、ケース本体部材５０とケース蓋部材６０とを閉止状態で容易に連結保持することができる。
【００３７】
このような不正開放防止機構７０によりケース本体部材５０とケース蓋部材６０とが閉止状態で結合保持されれば、本体側係合部５６と係合したストッパ部材７１との係合を解除するのは非常に困難であり、主基板ケース１００（主基板アッセンブリ３０）を開くためには、連結部６５を切断して蓋側係合部６４をケース蓋部材６０から切り離す必要がある。そのため、主基板ケース１００の解放後は、連結部６５の切断痕跡が明確に残るため、不正な開放を早期に発見できるとともに、不正行為を効果的に抑止できる。
【００３８】
しかしながら、ケース本体部材５０とケース蓋部材６０とが不正開放防止機構７０により閉止状態で結合保持されている状態で、図６，７に示すように、ケース蓋部材６０の外面側底部（例えば、点線Ａの部分）をカッターや半田ごて等を用いて切断して、電子デバイス３２を主制御基板３１から取り外そうとした場合、ケース蓋部材６０の外面側底部の他に不正防止シート８０も切断しなければならず、さらに不正防止シート８０は適度な剛性を有して成形されており、切断の際にカッターや半田ごて等によって加わる力で変形するので切断しにくく、不正防止シート８０を切断する分の余計な時間が必要になり、このような不正行為を抑止することができる。
【００３９】
また、ケース蓋部材６０の外面側底部及び不正防止シート８０を切断しようとした場合、不正防止シート８０と主制御基板３１とが近接しており、さらに不正防止シート８０は適度な剛性を有しているので、図７の状態において上方からカッター及び半田ごて等によって加わる力で主制御基板３１と近接する方向に不正防止シート８０が変形するので、不正防止シート８０を切断する際にカッター及び半田ごて等によって主制御基板３１が破損してしまうリスクが伴い、その際、電子デバイス３２を遊技データや入賞確率データ等を不正に改ざんした不正電子デバイスに交換しても主制御基板３１が作動しないことになり、このような不正行為が意味をなさず効果的に抑止できる。
【００４０】
なお、不正防止シート８０は、カッターや半田ごて等を用いてケース蓋部材６０の外面側底部を切断した際の切断孔（例えば、図６の点線Ａの部分）から主基板ケース１００の外部に引き抜くことができない程度の剛性、且つ上述のようにカッター及び半田ごて等によって切断する際に加わる力で変形する程度の剛性を有して成形されている。また、不正防止シート８０は、主制御基板３１と近接して設けられており、主制御基板３１と不正防止シート８０とが当接した際に主制御基板３１がショートしないように電気絶縁性を有して成形されている。さらに、不正防止シート８０は、ケース蓋部材６０の内面側底部６９と略同一形状に成形されているのでケース蓋部材６０の蓋部材側壁部６６の内側面と近接することによって、主制御基板３１の電子デバイス３２が配設された面に沿う方向の移動は規制され、主制御基板３１の電子デバイス３２が配設された面に垂直な方向（図７において上下方向）には移動可能となっている。
【００４１】
ケース蓋部材６０の外面側底部を広範囲（例えば、図６の点線Ａの部分よりも広い部分）において切断することで、不正防止シート８０を主基板ケース１００から引き抜くことは可能となるが、広範囲を切断するための余計な時間が必要となるので、やはり不正防止シート８０は、電子デバイス３２を主制御基板３１から不正に着脱するという行為の抑止において有効である。また、不正防止シート８０は、主制御基板３１の電子デバイス３２を含むほぼ全面を覆うように設けられているので、例えば、主制御基板３１の変更（遊技施設の係員等による正当な交換）によって電子デバイス３２の搭載位置が変化しても、主基板ケース１００及び不正防止シート８０をそのまま使用することができるので製造コストの増加を防止できる。さらに、既存の遊技機に取り付けられている基板ケースにおいても不正防止シート８０を用いることによって、このような不正行為の防止対策を容易に行うことができる。
【００４２】
次に第二実施形態に係る主基板アッセンブリ９０について図８，９を参照して説明する。なお、第二実施形態に係る主基板アッセンブリ９０の構成は、前述した第一実施形態に係る主基板アッセンブリ３０の構成と基本的に同一のため、同一の部材には同一の符号を付して詳細な説明は省略する。また、図８では主基板アッセンブリ９０の構造を明瞭に説明するために、主基板ケース１００の内部に収容されている不正防止シート９１及び電子デバイス３２を二点鎖線で図示している。
【００４３】
主基板アッセンブリ９０は、パチンコ機ＰＭの作動を統括的に制御する主制御基板３１と、主制御基板３１を内部に収容する主基板ケース１００と、主制御基板３１と主基板ケース１００との間に設けられる不正防止シート９１とから構成される。ケース蓋部材６０の内面側底部６９には、主制御基板３１が主基板ケース１００の内部に収容した状態で、主制御基板３１に向かって延びる板状の合計４つの係止リブ９２が、ＡＢＳ樹脂やポリカーボネート（ＰＣ）等の透明な樹脂材料を用いてケース蓋部材６０と一体的に形成されている。（本実施形態では、４つの係止リブ９２が、図３の状態において上下及び左右で対をなして形成されている）。この係止リブ９２は、ケース本体部材５０にケース蓋部材６０を取り付けて内部に主制御基板３１を収容したときに、主制御基板３１上に配設された電子デバイス３２及び不正防止シート９１を囲う位置に、主制御基板３１の後面（ケース蓋部材６０の内面側底部６９に対向する面）と近接するように形成されている。
【００４４】
不正防止シート９１は、矩形シート状の形状を有しており、ＡＢＳ樹脂やポリカーボネート（ＰＣ）等の透明な樹脂材料を用いて後述するように適度な剛性及び電気絶縁性を有して成形される。この不正防止シート９１は、ケース本体部材５０にケース蓋部材６０を取り付けて内部に主制御基板３１を収容したときに、主制御基板３１の電子デバイス３２（取り換えて不正行為を行う対象電子部品）が配設された面とケース蓋部材６０の内面側底部６９との間の位置に挿入され、主制御基板３１の電子デバイス３２を含む所定の範囲を覆うように設けられている。なお、不正防止シート９１は上述のように透明な樹脂材料で成形されているので、電子デバイス３２の表面（ケース蓋部材６０の内面側底部６９と対向する面）に記載された表記部３２ａの表記内容（社名や製造番号等）が視認可能になっているとともに、万一電子デバイス３２が不正遊技者によって他の不正電子部品に着脱交換されている場合に、この不正事実を発見し得るようになっている。
【００４５】
ケース本体部材５０とケース蓋部材６０とが不正開放防止機構７０により閉止状態で結合保持されている状態で、ケース蓋部材６０の外面側底部（例えば、点線Ｂの部分）をカッターや半田ごて等を用いて切断して、電子デバイス３２を主制御基板３１から取り外そうとした場合、ケース蓋部材６０の外面側底部の他に不正防止シート９１も切断しなければならず、さらに不正防止シート９１は適度な剛性を有して成形されており、切断の際にカッターや半田ごて等によって加わる力で変形するので切断しにくく、不正防止シート９１を切断する分の余計な時間が必要になり、このような不正行為を抑止することができる。
【００４６】
また、ケース蓋部材６０の外面側底部及び不正防止シート９１を切断しようとした場合、不正防止シート９１と主制御基板３１とが近接しており、さらに不正防止シート９１は適度な剛性を有しているので、図９の状態において上方からカッター及び半田ごて等によって加わる力で主制御基板３１と近接する方向に不正防止シート９１が変形するので、不正防止シート９１を切断する際にカッター及び半田ごて等によって主制御基板３１が破損してしまうリスクが伴い、その際、電子デバイス３２を遊技データや入賞確率データ等を不正に改ざんした不正電子デバイスに交換しても主制御基板３１が作動しないことになり、このような不正行為が意味をなさず効果的に抑止できる。
【００４７】
なお、不正防止シート９１は、カッターや半田ごて等を用いてケース蓋部材６０の外面側底部を切断した際の切断孔（例えば、図８の点線Ｂの部分）から主基板ケース１００の外部に引き抜くことができない程度の剛性、且つ上述のようにカッター及び半田ごて等によって切断する際に加わる力で変形する程度の剛性を有して成形されている。また、不正防止シート９１は、主制御基板３１と近接して設けられており、主制御基板３１と不正防止シート９１とが当接した際に主制御基板３１がショートしないように電気絶縁性を有して成形されている。さらに、不正防止シート９１は、ケース蓋部材６０に形成された各係止リブ９２と近接して位置することによって、主制御基板３１の電子デバイス３２が配設された面に沿う方向の移動は規制され、主制御基板３１の電子デバイス３２が配設された面に垂直な方向（図９において上下方向）には移動可能となっている。
【００４８】
ケース蓋部材６０の外面側底部を広範囲（例えば、図８の点線Ｂの部分よりも広い部分）において切断することで、不正防止シート９１を主基板ケース１００から引き抜くことは可能となるが、広範囲を切断するための余計な時間が必要となるので、やはり不正防止シート９１は、電子デバイス３２を主制御基板３１から不正に着脱するという行為の抑止において有効である。
【００４９】
なお、本発明は上記の実施形態に限定されるものではなく、不正防止シート８０（９１）が主制御基板３１の電子デバイス３２が配設された面とケース蓋部材６０の内面側底部６９との間に位置して設けられるという要旨の範囲内において種々の変形が可能である。例えば、不正防止シート８０（９１）は、ケース蓋部材６０の内面側底部６９に貼付されて設けられ、カッターや半田ごて等によってケース蓋部材６０の外面側底部を切断しているときに内面側底部６９からはがれて電子デバイス３２を覆うように構成されてもよい。また、本実施形態では、主制御基板３１（電子デバイス３２）において不正防止シート８０（９１）を用いたが、他の基板及び他の電子デバイスにおいても同様に不正防止シート８０（９１）を設けて、このような不正行為を抑止することが好ましい。
【図面の簡単な説明】
【００５０】
【図１】本発明に係る遊技機の一例として示すパチンコ機の正面図である。
【図２】上記パチンコ機の背面図である。
【図３】上記パチンコ機の背面斜視図である。
【図４】上記パチンコ機に設けられた主基板アッセンブリの分解斜視図である。
【図５】ケース蓋部材を示す図であって、（ａ）は平面図であり、（ｂ）は底面図である。
【図６】本発明に係る主基板アッセンブリにおける主基板ケース、不正防止シート及び主制御基板の構成を示す説明図である。
【図７】図６のVII−VII断面図である。
【図８】上記主基板アッセンブリの他の構成例を示す説明図である。
【図９】図８のIX−IX面図である。
【符号の説明】
【００５１】
ＰＭ    パチンコ機（遊技機）
３１    主制御基板（制御基板）
３２    電子デバイス（電子部品）
５０    ケース本体部材（ケース部材）
６０    ケース蓋部材（ケース部材）
８０    不正防止シート（シート部材）
９１    不正防止シート（シート部材）
１００  主基板ケース（基板ケース）
【図１】
2008237338.tif 000003
【図２】
2008237338.tif 000004
【図３】
2008237338.tif 000005
【図４】
2008237338.tif 000006
【図５】
2008237338.tif 000007
【図６】
2008237338.tif 000008
【図７】
2008237338.tif 000009
【図８】
2008237338.tif 000010
【図９】
2008237338.tif 000011